(57)【要約】  本願発明は、オフセット補償ガンマバッファー及びこれを利用する階調電圧発生回路にについて開示される。オフセット補償ガンマバッファーは、正（＋）入力端子又は負（−）入力端子に入力される入力電圧を出力電圧に出力するバッファーと、制御信号に応答して入力電圧とバッファーの出力電圧を選択的に正（＋）入力端子と負（−）入力端子に連結させるスイチング部を含む。オフセット補償ガンマバッファーの出力電圧は、液晶パネルを駆動するソースドライバーの階調電圧発生回路の入力として提供される。制御信号の反転タイミングを利用してオフセット補償ガンマバッファーのオフセットを補償する。オフセット補償ガンマバッファーの出力電圧は、階調電圧を発生させるための電圧分配部の基準電圧として提供されて、オフセットが補償された階調電圧を発生させる。
2011504246.tif 000002
【特許請求の範囲】
【請求項１】
正（＋）入力端子又は負（−）入力端子に入力される入力電圧を出力電圧に出力するバッファーと、及び
制御信号に応答して前記入力電圧と前記バッファーの前記出力電圧を選択的に前記正（＋）入力端子と前記負（−）入力端子に連結させるスイチング部を具備することを特徴とするオフセット補償ガンマバッファー。
【請求項２】
前記オフセット補償ガンマバッファーの前記出力電圧は、
液晶パネルを駆動するソースドライバーの階調電圧発生回路の入力に提供されることを特徴とする請求項１に記載のオフセット補償ガンマバッファー。
【請求項３】
前記制御信号は、
前記液晶パネルにディスプレイされる画像の２フレーム毎に、そして１行単位（２Ｆｒａｍｅ＋１Ｈｏｒｉｚｏｎｔａｌ  ｕｎｉｔ）で反転されることを特徴とする請求項２に記載のオフセット補償ガンマバッファー。
【請求項４】
前記制御信号は、
前記液晶パネルにディスプレイされる画像の４フレーム毎に、そして１行単位（４Ｆｒａｍｅ＋１Ｈｏｒｉｚｏｎｔａｌ  ｕｎｉｔ）で反転されることを特徴とする請求項２に記載のオフセット補償ガンマバッファー。
【請求項５】
前記制御信号は、
前記液晶パネルにディスプレイされる画像の２フレーム毎に、そして２行単位（２Ｆｒａｍｅ＋２Ｈｏｒｉｚｏｎｔａｌ  ｕｎｉｔ）で反転されることを特徴とする請求項２に記載のオフセット補償ガンマバッファー。
【請求項６】
前記制御信号は、
前記液晶パネルにディスプレイされる画像の４フレーム毎に、そして２行単位（４Ｆｒａｍｅ＋２Ｈｏｒｉｚｏｎｔａｌ  ｕｎｉｔ）で反転されることを特徴とする請求項２に記載のオフセット補償ガンマバッファー。
【請求項７】
前記制御信号は、
前記液晶パネルにディスプレイされる画像の２フレーム毎に、そして４行単位（２Ｆｒａｍｅ＋４Ｈｏｒｉｚｏｎｔａｌ  ｕｎｉｔ）で反転されることを特徴とする請求項２に記載のオフセット補償ガンマバッファー。
【請求項８】
前記制御信号は、
前記液晶パネルにディスプレイされる画像の４フレーム毎に、そして４行単位（４Ｆｒａｍｅ＋４Ｈｏｒｉｚｏｎｔａｌ  ｕｎｉｔ）で反転されることを特徴とする請求項２に記載のオフセット補償ガンマバッファー。
【請求項９】
前記制御信号は、
前記液晶パネルにディスプレイされる画像の２フレーム単位（２Ｆｒａｍｅ）で反転されることを特徴とする請求項２に記載のオフセット補償ガンマバッファー。
【請求項１０】
前記制御信号は、
前記液晶パネルにディスプレイされる画像の４フレーム単位（４Ｆｒａｍｅ）で反転されることを特徴とする請求項２に記載のオ補償ガンマバッファー。
【請求項１１】
第１及び第２入力電圧を入力して第１及び第２出力電圧を出力するバッファー部と、及び
前記第１及び第２出力電圧の間に連結される抵抗列を含んで、前記抵抗列によって分割される階調電圧を発生する階調電圧発生部を具備し、
前記バッファー部は、
第１正（＋）入力端子又は第１負（−）入力端子に入力される前記第１入力電圧を前記第１出力電圧に出力する第１バッファーと、
第２正（＋）入力端子又は第２負（−）入力端子に入力される前記第２入力電圧を前記第２出力電圧に出力する第２バッファーと、
制御信号に応答して前記第１入力電圧と前記第１バッファーの前記第１出力電圧を選択的に前記第１正（＋）入力端子と前記第１負（−）入力端子に連結させる第１スイチング部と、及び
前記制御信号に応答して前記第２入力電圧と前記第２バッファーの前記第２出力電圧を選択的に前記第２正（＋）入力端子と前記第２負（−）入力端子に連結させる第２スイチング部を具備することを特徴とする階調電圧発生回路。
【請求項１２】
前記階調電圧発生回路は、
前記第１及び第２出力電圧の間の電圧レベルを有する少なくとも一つ以上の第３出力電圧を発生させて、前記第３出力電圧を前記抵抗列の少なくとも一つの連結ノードに連結させる第３バッファー部をさらに具備して、
前記第３バッファー部は、
第３正（＋）入力端子又は第３負（−）入力端子に入力される第３入力電圧を前記第３出力電圧に出力する第３バッファーと、及び
前記制御信号に応答して前記第３入力電圧と前記第３バッファーの前記第３出力電圧を選択的に前記第３正（＋）入力端子と前記第３負（−）入力端子に連結させる第３スイチング部を具備することを特徴とする請求項１１に記載の階調電圧発生回路。
【請求項１３】
前記バッファー部は、
オプション信号によって前記第１及び第２バッファーを選択的にディスエイブルすることを特徴とする請求項１１に記載の階調電圧発生回路。
【請求項１４】
前記制御信号は、
前記液晶パネルにディスプレイされる画像の２フレーム毎に、そして１行単位（２Ｆｒａｍｅ＋１Ｈｏｒｉｚｏｎｔａｌ  ｕｎｉｔ）で反転されることを特徴とする請求項１１に記載の階調電圧発生回路。
【請求項１５】
前記制御信号は、
前記液晶パネルにディスプレイされる画像の４フレーム毎に、そして１行単位（４Ｆｒａｍｅ＋１Ｈｏｒｉｚｏｎｔａｌ  ｕｎｉｔ）で反転されることを特徴とする請求項１１に記載の階調電圧発生回路。
【請求項１６】
前記制御信号は、
前記液晶パネルにディスプレイされる画像の２フレーム毎に、そして２行単位（２Ｆｒａｍｅ＋２Ｈｏｒｉｚｏｎｔａｌ  ｕｎｉｔ）で反転されることを特徴とする請求項１１に記載の階調電圧発生回路。
【請求項１７】
前記制御信号は、
前記液晶パネルにディスプレイされる画像の４フレーム毎に、そして２行単位（４Ｆｒａｍｅ＋２Ｈｏｒｉｚｏｎｔａｌ  ｕｎｉｔ）で反転されることを特徴とする請求項１１に記載の階調電圧発生回路。
【請求項１８】
前記制御信号は、
前記液晶パネルにディスプレイされる画像の２フレーム毎に、そして４行単位（２Ｆｒａｍｅ＋４Ｈｏｒｉｚｏｎｔａｌ  ｕｎｉｔ）で反転されることを特徴とする請求項１１に記載の階調電圧発生回路。
【請求項１９】
前記制御信号は、
前記液晶パネルにディスプレイされる画像の４フレーム毎に、そして４行単位（４Ｆｒａｍｅ＋４Ｈｏｒｉｚｏｎｔａｌ  ｕｎｉｔ）で反転されることを特徴とする請求項１１に記載の階調電圧発生回路。
【請求項２０】
前記制御信号は、
前記液晶パネルにディスプレイされる画像の２フレーム単位（２Ｆｒａｍｅ）で反転されることを特徴とする請求項１１に記載の階調電圧発生回路。
【請求項２１】
前記制御信号は、
前記液晶パネルにディスプレイされる画像の４フレーム単位（４Ｆｒａｍｅ）で反転されることを特徴とする請求項１１に記載の階調電圧発生回路。
【発明の詳細な説明】
【技術分野】
【０００１】
本発明は、液晶表示装置に関し、特に、オフセット補償ガンマバッファー及びこれを利用する階調（グレースケール）電圧発生回路に関する。
【背景技術】
【０００２】
一般に、液晶表示装置は大きく液晶パネル部と駆動部で構成される。液晶パネル部は、ピクセル電極と薄膜トランジスターがマトリックス形態で配列される下層硝子基板と共通電極及びカラーフィルタ層で形成される上層硝子基板、そして上／下層硝子基板の間に満たされる液晶層で構成される。駆動部は、外部から入力される映像信号を処理して、複合同期信号を出力する映像信号処理部、映像信号処理部から出力される複合同期信号が入力されて水平同期信号及び垂直同期信号を分離して出力して、モード選択信号によってタイミングを制御する制御部、制御部の出力信号によって液晶パネル部のゲートライン及びソースラインに順次に駆動電圧を印加するゲートドライバー及びソースドライバーなどを含んで構成される。
【０００３】
ソースドライバーは、デジタルＲ、Ｇ、Ｂデータに対する情報をサンプリングしてデータラッチ部にラッチして、データラッチ部に保存されたデジタルＲ、Ｇ、Ｂデータをデコーディングして、光の明るさを線形的に表現する階調電圧に応答してアナログＲ、Ｇ、Ｂデータに変換して、アナログ信号に変換されたＲ、Ｇ、Ｂデータに該当される出力電圧を各チャンネルに出力する。各チャンネルの出力電圧は、例えば、６ビットのソースドライバーの場合１２８個のグレーレベルに表示される。階調電圧は、電圧分配部を通じて発生される電圧を安定化させるガンマバッファーを使って発生される。
【０００４】
図１は、従来のガンマバッファーを説明する図面である。図１を参照すると、ガンマバッファー１０は、正（＋）入力端子に入力電圧（ＩＮ）を入力して、負（−）入力端子に自分の出力電圧（ＯＵＴ）を入力して新しい出力電圧（ＯＵＴ）を出力する。ガンマバッファー１０は、単一利得アンプに作用して、入力電圧（ＩＮ）のレベルがそのまま出力電圧（ＯＵＴ）のレベルに示される。
【０００５】
図２及び図３は、図１のガンマバッファーのオフセットを説明する図面である。図２は複数のチップの間に配置されるか、又は一つのチップに内蔵した複数のガンマバッファー１０ａ、１０ｂ、１０ｃを示す。図３は、各ガンマバッファー１０ａ、１０ｂ、１０ｃの入力電圧（ＩＮ１、ＩＮ２、ＩＮ３）のレベルが例えば、７Ｖである場合、第１ガンマバッファー１０ａの第１出力電圧（ＯＵＴ１）は（７＋ａ）Ｖで示されて、第２ガンマバッファー１０ｂの第２出力電圧（ＯＵＴ２）は（７−ｂ）Ｖで示されて、第３ガンマバッファー１０ｃの第３出力電圧（ＯＵＴ３）は（７−ｃ）Ｖで示される。ガンマバッファー１０ａ、１０ｂ、１０ｃそれぞれには固有のオフセット電圧（ａ、ｂ、ｃ）が含まれて出力電圧（ＯＵＴ１、ＯＵＴ２、ＯＵＴ３）が出力される。
【０００６】
図４は、図１のガンマバッファーを使って複数の階調電圧を発生する階調電圧発生回路を説明する図面である。図４を参照すると、階調電圧発生回路３０は第１ないし第４ガンマバッファー１０ａ−１０ｄと第１及び第２電圧分配部３１、３２を含む。第１及び第２ガンマバッファー１０ａ、１０ｂの出力電圧（ＯＵＴ１、ＯＵＴ２）の間に第１電圧分配部３１が連結されて、第３及び第４ガンマバッファー１０ｃ、１０ｄの出力電圧（ＯＵＴ３、ＯＵＴ４）の間に第２電圧分配部３２が連結される。第１電圧分配部３１は、複数の抵抗列で構成されて、複数の抵抗列によって分割された複数の電圧レベルが上段階調電圧（ＶＨｇｒａｙ０−ＶＨｇｒａｙ６３）で発生される。第２電圧分配部３２は複数の抵抗列で構成されて、複数の抵抗列によって分割された複数の分割電圧レベルから下段階調電圧（ＶＬｇｒａｙ０−ＶＬｇｒａｙ６３）が発生される。
【発明の概要】
【発明が解決しようとする課題】
【０００７】
一方、液晶表示装置の大型化成り行きによって液晶パネル部の大きさが大きくなることによって、液晶パネル部を駆動するソースドライバーチップが直列で多数個連結される。一つのソースドライバーチップに内蔵したガンマバッファー部のオフセットが、図２及び図３に示されたように、お互いに異なるように示されるが、隣接した複数のソースドライバーチップに内蔵したガンマバッファー部のオフセットも異なるように示される。すなわち、各ソースドライバーチップの階調電圧発生回路３０から発生される複数の階調電圧（ＶＨｇｒａｙ０−ＶＨｇｒａｙ６３、ＶＬｇｒａｙ０−ＶＬｇｒａｙ６３）もオフセット差を有して発生される。これによって、隣接した複数のソースドライバーチップによってディスプレイされる画像にブロック単位で暗くなるブロックディム（ｂｌｏｃｋｄｉｍ）現象が発生される。
【０００８】
本発明の目的は、画像のブロックディム現象を無くすために、オフセット補償ガンマバッファーを提供することにある。
【０００９】
本発明の他の目的は、前記オフセット補償ガンマバッファーを利用した階調電圧発生回路を提供することにある。
【課題を解決するための手段】
【００１０】
前記目的を達成するために、本発明の一面によるオフセット補償ガンマバッファーは、正（＋）入力端子又は負（−）入力端子に入力される入力電圧を出力電圧に出力するバッファーと、そして制御信号に応答して入力電圧とバッファーの出力電圧を選択的に正（＋）入力端子と負（−）入力端子に連結させるスイチング部を含む。
【００１１】
本発明の複数の実施例によって、オフセット補償ガンマバッファーの出力電圧は、液晶パネルを駆動するソースドライバーの階調電圧発生回路の入力として提供されることができる。
【００１２】
本発明の複数の実施例によって、制御信号は液晶パネルにディスプレイされる画像の２フレーム毎に、そして１行単位（２Ｆｒａｍｅ＋１Ｈｏｒｉｚｏｎｔａｌ  ｕｎｉｔ）で反転されるように設定されることができる。
【００１３】
本発明の複数の実施例によって、制御信号は液晶パネルにディスプレイされる画像の４フレーム毎に、そして１行単位（４Ｆｒａｍｅ＋１Ｈｏｒｉｚｏｎｔａｌ  ｕｎｉｔ）で反転されるように設定されることができる。
【００１４】
本発明の複数の実施例によって、制御信号は液晶パネルにディスプレイされる画像の２フレーム毎に、そして２行単位（２Ｆｒａｍｅ＋２Ｈｏｒｉｚｏｎｔａｌ  ｕｎｉｔ）で反転されるように設定されることができる。
【００１５】
本発明の複数の実施例によって、制御信号は液晶パネルにディスプレイされる画像の４フレーム毎に、そして２行単位（４Ｆｒａｍｅ＋２Ｈｏｒｉｚｏｎｔａｌ  ｕｎｉｔ）で反転されるように設定されることができる。
【００１６】
本発明の複数の実施例によって、制御信号は液晶パネルにディスプレイされる画像の２フレーム毎に、そして４行単位（２Ｆｒａｍｅ＋４Ｈｏｒｉｚｏｎｔａｌ  ｕｎｉｔ）で反転されるように設定されることができる。
【００１７】
本発明の複数の実施例によって、制御信号は液晶パネルにディスプレイされる画像の４フレーム毎に、そして４行単位（４Ｆｒａｍｅ＋４Ｈｏｒｉｚｏｎｔａｌ  ｕｎｉｔ）で反転されるように設定されることができる。
【００１８】
本発明の複数の実施例によって、制御信号は液晶パネルにディスプレイされる画像の２フレーム単位（２Ｆｒａｍｅ）で反転されるように設定されることができる。
【００１９】
本発明の複数の実施例によって、制御信号は液晶パネルにディスプレイされる画像の４フレーム単位（４Ｆｒａｍｅ）で反転されるように設定されることができる。
【００２０】
前記他の目的を達成するために、本発明の他の一態様による階調電圧発生回路は、第１及び第２入力電圧を入力して、第１及び第２出力電圧を出力するバッファー部と、そして第１及び第２出力電圧の間に連結される複数の抵抗列を含んで、複数の抵抗列によって分割される複数の階調電圧を発生する階調電圧発生部を含む。バッファー部は、第１正（＋）入力端子又は第１負（−）入力端子に入力される第１入力電圧を第１出力電圧に出力する第１バッファーと、第２正（＋）入力端子又は第２負（−）入力端子に入力される第２入力電圧を第２出力電圧に出力する第２バッファーと、制御信号に応答して第１入力電圧と第１バッファーの第１出力電圧を選択的に第１正（＋）入力端子と第１負（−）入力端子に連結させる第１スイチング部と、そして制御信号に応答して第２入力電圧と第２バッファーの第２出力電圧を選択的に第２正（＋）入力端子と第２負（−）入力端子に連結させる第２スイチング部を含む。
【００２１】
本発明の複数の実施例によって、階調電圧発生回路は、第１及び第２出力電圧の間の電圧レベルを有する少なくとも一つ以上の第３出力電圧を発生させて、第３出力電圧を抵抗列の少なくとも一つの連結ノードに連結させる第３バッファー部をさらに含むことができる。第３バッファー部は、第３正（＋）入力端子又は第３負（−）入力端子に入力される第３入力電圧を第３出力電圧に出力する第３バッファーと、そして制御信号に応答して第３入力電圧と第３バッファーの第３出力電圧を選択的に第３正（＋）入力端子と第３負（−）入力端子に連結させる第３スイチング部を含むことができる。
【００２２】
本発明の複数の実施例によって、バッファー部はオプション信号によって第１及び第２バッファーを選択的にディスエイブルすることができる。
【発明の効果】
【００２３】
本発明によると、制御信号の反転タイミングを利用してオフセット補償ガンマバッファーのオフセットを補償する。オフセット補償ガンマバッファーの出力電圧は、複数の階調電圧を発生させるための電圧分配部の基準電圧に提供されるために、オフセットが補償された複数の階調電圧が発生される。これによって、隣接した複数のソースドライバーチップによって表示される画像のブロックディム（ｂｌｏｃｋｄｉｍ）現象を除去することができる。
【図面の簡単な説明】
【００２４】
【図１】従来のガンマバッファーを説明する図面である。
【図２】図１のガンマバッファーのオフセットを説明する図面である。
【図３】図１のガンマバッファーのオフセットを説明する図面である。
【図４】図１のガンマバッファーのオフセットを説明する図面である。
【図５】本発明の一実施例によるオフセット補償ガンマバッファーを説明する図面である。
【図６】図５のオフセット補償ガンマバッファーの動作によるオフセット補償方法を説明する図面である。
【図７】液晶表示装置の行２−点反転駆動方式に図５のオフセット補償方法を適用するタイミングダイヤグラムである。
【図８】図５のオフセット補償ガンマバッファーの制御信号反転タイミングを説明する図面である。
【図９】図５のオフセット補償ガンマバッファーを利用する階調電圧発生回路を説明する図面である。
【発明を実施するための形態】
【００２５】
本発明と本発明の動作上の利点及び本発明の実施によって達成される目的を充分に理解するためには、本発明の例示的な実施例を説明する添付図面及び添付図面に記載した内容を参照することが望ましい。
【００２６】
以下、添付した図面を参照して本発明の望ましい実施例を説明することで、本発明を詳しく説明する。各図面に提示された同一参照符号は同一部材を示す。
【００２７】
図５は本発明の一実施例によるオフセット補償ガンマバッファーを説明する図面である。図５を参照すると、オフセット補償ガンマバッファー４０は、スイチング部４１とバッファー４２を含む。スイチング部４１は、制御信号（ＣＴＲＬ）に応答して、入力電圧（ＩＮ）とバッファー４２出力電圧（ＯＵＴ）を選択的にバッファー４２の正（＋）入力端子又は負（−）入力端子に連結させる。バッファー４２は、制御信号（ＣＴＲＬ）が、例えばロジッグハイである時、図１のように、正（＋）入力端子で入力電圧（ＩＮ）を入力して、負（−）入力端子に自分の出力電圧（ＯＵＴ）を入力して、出力電圧（ＯＵＴ）を出力する場合、（＋）オフセットを有すると設定しよう。バッファー４２は、制御信号（ＣＴＲＬ）がロジッグローである時、正（＋）入力端子に自分の出力電圧（ＯＵＴ）を入力して負（−）入力端子に入力電圧（ＩＮ）を入力して出力電圧（ＯＵＴ）を出力する場合、（−）オフセットを有する。
【００２８】
図６は、図５のオフセット補償ガンマバッファー４０の動作によるオフセット補償方法を説明する図面である。図６を参照すると、バッファー４２の正（＋）入力端子と負（−）入力端子に入力される入力電圧（ＩＮ）とバッファー４２出力電圧（ＯＵＴ）を交番的にスイチングする場合、（＋）オフセットと（−）オフセットが平均されてオフセットゼロ（０）になる。これによって、従来のガンマバッファー（図１）１０が有する固有のオフセットを補償するようになる。
【００２９】
一方、液晶表示装置は、ピクセルに印加される電圧の反転が要求される。この動作は、単一極性を有する電界が長期間印加されれば、液晶材料又は配向膜の劣化又は不純物による寄生電荷が生ずるために残像（ｉｍａｇｅ  ｐｅｒｓｉｓｔｅｎｃｅ）現象のような表示悪化を防止するために行われる。
【００３０】
複数のピクセルの劣化を防止するために、毎フレーム毎に各ピクセルの極性を反転させてくれなければならないが、この時、極性の間の微細な輝度差によって液晶パネルのフリッカー（ｆｌｉｃｋｅｒ）が発生される。これを緩和させる方法で行反転、列反転、点反転などの複数の駆動方式が使われている。行反転は、液晶の陰陽の組み合わせが隣り合うゲートラインどうしで逆にディスプレイされるように駆動するものであり、列反転は隣り合うデータラインどうしで逆にディスプレイされるように駆動することであり、点反転は前記二つの方式を混合した概念にした点を基準にお互いに隣り合う四方の点どうしに逆の極性でディスプレイされるように駆動する方式である。
【００３１】
このような複数の方法は、人の目が多くの点を同時に認識するという点を利用して、一定な面積内で各点の輝度の平均値の差を減らすことを目的とする。一般に、点駆動方式は使用者が不便さを感じることができない一番有効な方式と知られているし、液晶表示装置の反転駆動方法で一番広く使われている。
【００３２】
図７は、液晶表示装置の行２−点反転（Ｈｏｒｉｚｏｎｔａｌ  ２−ｄｏｔ  ｉｎｖｅｒｓｉｏｎ）駆動方式に図６のオフセット補償方法を適用するタイミングダイヤグラムである。図７を参照すると、第１フレームと第３フレーム（Ｆｒａｍｅ１、Ｆｒａｍｅ３）で、そして第２フレームと第４フレーム（Ｆｒａｍｅ２、Ｆｒａｍｅ４）で２個のフレームとの間にオフセット補償ガンマバッファー４０の制御信号（ＣＴＲＬ）のロジッグレベルが反転される。これによって、２フレーム毎にオフセット補償ガンマバッファー４０のオフセット値が平均になって補償される。
【００３３】
また、一つのフレーム内でも制御信号（ＣＴＲＬ）のロジッグレベルが１行（Ｈ）単位で反転されるが、これは行単位の駆動が（＋）極性と（＋）極性又は（−）極性と（−）極性を有する時、オフセット補償ガンマバッファー４０のオフセット値が平均になって補償されることを示す。
【００３４】
すなわち、図７は、液晶表示装置の行２−点反転駆動方式に２フレーム毎に、そして１行単位でオフセット補償ガンマバッファー４０の制御信号（ＣＴＲＬ）を反転させる方法でオフセット補償ガンマバッファー４０のオフセットを補償する。このような脈絡で、図８のようなオフセット補償ガンマバッファー４０の制御信号（ＣＴＲＬ）の反転タイミングを利用してオフセット補償ガンマバッファー４０のオフセットを補償することができる。
【００３５】
図８のオフセット補償ガンマバッファーの制御信号（ＣＴＲＬ）反転タイミングは、液晶表示装置の行反転、列反転、点反転、スクエア反転など多様な駆動方式に従って適切に適用することができる。すなわち、図７で説明された２フレーム毎に、そして１行単位（２Ｆｒａｍｅ＋１Ｈｏｒｉｚｏｎｔａｌ  ｕｎｉｔ）でオフセット補償ガンマバッファー４０の制御信号（ＣＴＲＬ）を反転させる方法、４フレーム毎に、そして１行単位（４Ｆｒａｍｅ＋１Ｈｏｒｉｚｏｎｔａｌ  ｕｎｉｔ）でオフセット補償ガンマバッファー４０の制御信号（ＣＴＲＬ）を反転させる方法、２フレーム毎に、そして２行単位（２Ｆｒａｍｅ＋２Ｈｏｒｉｚｏｎｔａｌ  ｕｎｉｔ）でオフセット補償ガンマバッファー４０の制御信号（ＣＴＲＬ）を反転させる方法、４フレーム毎に、そして２行単位（４Ｆｒａｍｅ＋２Ｈｏｒｉｚｏｎｔａｌ  ｕｎｉｔ）でオフセット補償ガンマバッファー４０の制御信号（ＣＴＲＬ）を反転させる方法、２フレーム毎に、そして４行単位（２Ｆｒａｍｅ＋４Ｈｏｒｉｚｏｎｔａｌ  ｕｎｉｔ）でオフセット補償ガンマバッファー４０の制御信号（ＣＴＲＬ）を反転させる方法、４フレーム毎に、そして４行単位（４Ｆｒａｍｅ＋４Ｈｏｒｉｚｏｎｔａｌ  ｕｎｉｔ）でオフセット補償ガンマバッファー４０の制御信号（ＣＴＲＬ）を反転させる方法、２フレーム単位（２Ｆｒａｍｅ）でオフセット補償ガンマバッファー４０の制御信号（ＣＴＲＬ）を反転させる方法、そして４フレーム単位（４Ｆｒａｍｅ）でオフセット補償ガンマバッファー４０の制御信号（ＣＴＲＬ）を反転させる方法がある。
【００３６】
図９は、図５のオフセット補償ガンマバッファー４０を利用する階調電圧発生回路を説明する図面である。図９を参照すると、階調電圧発生回路８０は上段階調電圧発生部８１と下段階調電圧発生部８２を含む。上段階調電圧発生部８１は、第１バッファー部５０と第１電圧分配部９１を含む。第１バッファー部５０は、多数個のオフセット補償ガンマバッファー５１、５２、５３、５４で構成される。複数のオフセット補償ガンマバッファーは、多様な数で構成されることができるが、本実施例では４個のオフセット補償ガンマバッファー５１、５２、５３、５４で構成される例について説明する。下段階調電圧発生部８２は、第２バッファー部７０と第２電圧分配部９２を含む。第２バッファー部７０も種々の数のオフセット補償ガンマバッファー構成されることができるが、４個のオフセット補償ガンマバッファー５５、５６、５７、５８で構成される。
【００３７】
第１ないし第４オフセット補償ガンマバッファー５１、５２、５３、５４それぞれは、正（＋）入力端子又は負（−）入力端子に入力される該当入力電圧（ＩＮ１、ＩＮ２、ＩＮ３、ＩＮ４）を該当出力電圧（ＯＵＴ１、ＯＵＴ２、ＯＵＴ３、ＯＵＴ４）に出力するバッファー７１、７２、７３、７４と、制御信号（ＣＴＲＬ）に応答して入力電圧（ＩＮ１、ＩＮ２、ＩＮ３、ＩＮ４）とバッファー７１、７２、７３、７４の出力電圧（ＯＵＴ１、ＯＵＴ２、ＯＵＴ３、ＯＵＴ４）を選択的にバッファー７１、７２、７３、７４の正（＋）入力端子と負（−）入力端子に連結させるスイチング部６１、６２、６３、６４を含む。第５ないし第８オフセット補償ガンマバッファー５５、５６、５７、５８それぞれは、正（＋）入力端子又は負（−）入力端子に入力される該当入力電圧（ＩＮ５、ＩＮ６、ＩＮ７、ＩＮ８）を該当出力電圧（ＯＵＴ５、ＯＵＴ６、ＯＵＴ７、ＯＵＴ８）に出力するバッファー７５、７６、７７、７８と、制御信号（ＣＴＲＬ）に応答して入力電圧（ＩＮ５、ＩＮ６、ＩＮ７、ＩＮ８）とバッファー７５、７６、７７、７８の出力電圧（ＯＵＴ５、ＯＵＴ６、ＯＵＴ７、ＯＵＴ８）を選択的にバッファー７５、７６、７７、７８の正（＋）入力端子と負（−）入力端子に連結させるスイチング部６５、６６、６７、６８を含む。
【００３８】
第１電圧分配部９１は、第１及び第４オフセット補償ガンマバッファー５１、５４の出力電圧（ＯＵＴ１、ＯＵＴ４）の間に直列連結される複数の抵抗列で構成されて、第２及び第３オフセット補償ガンマバッファー５２、５３の出力電圧（ＯＵＴ２、ＯＵＴ３）が抵抗列の複数の中段ノードに連結されて、複数の抵抗列によって分割された複数の電圧レベルから複数の上段階調電圧（ＶＨｇｒａｙ０、…、ＶＨｇｒａｙ＜ｉ＞、…、ＶＨｇｒａｙ＜ｊ＞、…、ＶＨｇｒａｙ６３）に発生される。第２電圧分配部９２は、第５及び第８オフセット補償ガンマバッファー５５、５８の出力電圧（ＯＵＴ５、ＯＵＴ８）の間に直列連結される複数の抵抗列で構成されて、第６及び第７オフセット補償ガンマバッファー５６、５７の出力電圧（ＯＵＴ６、ＯＵＴ７）が抵抗列の複数の中段ノードに連結されて、複数の抵抗列によって分割された複数の電圧レベルから複数の下段階調電圧（ＶＬｇｒａｙ０、…、ＶＬｇｒａｙ＜ｉ＞、…、ＶＬｇｒａｙ＜ｊ＞、…、ＶＬｇｒａｙ６３）に発生される。
【００３９】
階調電圧発生回路８０は、制御信号（ＣＴＲＬ）に応答してバッファー７１−７８の正（＋）入力端子と負（−）入力端子に入力される入力電圧（ＩＮ１−ＩＮ８）とバッファー７１−７８出力電圧（ＯＵＴ１−ＯＵＴ８）を交番的にスイチングさせて、オフセットが補償された出力電圧（ＯＵＴ１−ＯＵＴ８）を発生する。このような出力電圧（ＯＵＴ１−ＯＵＴ８）から発生される上段階調電圧（ＶＨｇｒａｙ０、…、ＶＨｇｒａｙ＜ｉ＞、…、ＶＨｇｒａｙ＜ｊ＞、…、ＶＨｇｒａｙ６３）と下段階調電圧（ＶＬｇｒａｙ０、…、ＶＬｇｒａｙ＜ｉ＞、…、ＶＬｇｒａｙ＜ｊ＞、…、ＶＬｇｒａｙ６３）もオフセットが補償された状態である。オフセット補償ガンマバッファー５１−５８の出力電圧（ＯＵＴ１−ＯＵＴ８）と直接連結される上段階調電圧（ＶＨｇｒａｙ０、ＶＨｇｒａｙ＜ｉ＞、ＶＨｇｒａｙ＜ｊ＞、ＶＨｇｒａｙ６３）と下段段階調電圧（ＶＬｇｒａｙ０、ＶＬｇｒａｙ＜ｉ＞、ＶＬｇｒａｙ＜ｊ＞、ＶＬｇｒａｙ６３）は安定した電圧レベルを有する。
【００４０】
一方、ソースドライバーのデータラッチ部に保存されたデジタルＲ、Ｇ、ＢデータをアナログＲ、Ｇ、Ｂデータに変換するデジタル−アナログ変換回路のオフセット測定を容易にするために、オフセット補償ガンマバッファー５１−５８をディスエイブル（ｄｉｓａｂｌｅ）するオプションを表１のように追加することができる。
【００４１】
【表１】
2011504246.tif 000003
【００４２】
オフセット補償ガンマバッファー５１−５８をイネーブル又はディスエイブルする動作は、第１及び第２オプション信号（ＯＰ［１：０］）の組合によって第１ないし第４バッファー７１−７４と第５ないし第８バッファー７５−７８を制御することでなされる。例えば、すべてのオフセット補償ガンマバッファー５１−５７の出力がディスエイブルされた場合、電圧分配部９１、９２に直接電圧を印加してオフセット補償ガンマバッファー５１−５８のオフセットを削除して、デジタル−アナログ変換回路のオフセットを測定することができる。
【００４３】
本発明は、図面に示された一実施例を参照して説明されたが、これは例示的なものに過ぎなくて、本技術分野の通常の知識を有した者なら、これから多様な変形及び均等な他の実施例が可能であるという点を理解するであろう。よって、本発明の真の技術的保護範囲は、添付された登録請求範囲の技術的思想によって決まらなければならないであろう。
【図１】
2011504246.tif 000004
【図２】
2011504246.tif 000005
【図３】
2011504246.tif 000006
【図４】
2011504246.tif 000007
【図５】
2011504246.tif 000008
【図６】
2011504246.tif 000009
【図７】
2011504246.tif 000010
【図８】
2011504246.tif 000011
【図９】
2011504246.tif 000012
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
第１及び第２入力電圧を入力して第１及び第２出力電圧を出力するバッファー部と、及び
前記第１及び第２出力電圧の間に連結される抵抗列を含んで、前記抵抗列によって分割される階調電圧を発生する階調電圧発生部を具備し、
前記バッファー部は、
第１正（＋）入力端子又は第１負（−）入力端子に入力される前記第１入力電圧を前記第１出力電圧に出力する第１バッファーと、
第２正（＋）入力端子又は第２負（−）入力端子に入力される前記第２入力電圧を前記第２出力電圧に出力する第２バッファーと、
制御信号に応答して前記第１入力電圧と前記第１バッファーの前記第１出力電圧を選択的に前記第１正（＋）入力端子と前記第１負（−）入力端子に連結させる第１スイチング部と、及び
前記制御信号に応答して前記第２入力電圧と前記第２バッファーの前記第２出力電圧を選択的に前記第２正（＋）入力端子と前記第２負（−）入力端子に連結させる第２スイチング部を具備することを特徴とする階調電圧発生回路。
【請求項２】
前記階調電圧発生回路は、
前記第１及び第２出力電圧の間の電圧レベルを有する少なくとも一つ以上の第３出力電圧を発生させて、前記第３出力電圧を前記抵抗列の少なくとも一つの連結ノードに連結させる第３バッファー部をさらに具備して、
前記第３バッファー部は、
第３正（＋）入力端子又は第３負（−）入力端子に入力される第３入力電圧を前記第３出力電圧に出力する第３バッファーと、及び
前記制御信号に応答して前記第３入力電圧と前記第３バッファーの前記第３出力電圧を選択的に前記第３正（＋）入力端子と前記第３負（−）入力端子に連結させる第３スイチング部を具備することを特徴とする請求項１に記載の階調電圧発生回路。
【請求項３】
前記バッファー部は、
オプション信号によって前記第１及び第２バッファーを選択的にディスエイブルすることを特徴とする請求項１に記載の階調電圧発生回路。
【請求項４】
前記制御信号は、
前記液晶パネルにディスプレイされる画像の２フレーム毎に、そして１行単位（２Ｆｒａｍｅ＋１Ｈｏｒｉｚｏｎｔａｌ  ｕｎｉｔ）で反転されることを特徴とする請求項１に記載の階調電圧発生回路。
【請求項５】
前記制御信号は、
前記液晶パネルにディスプレイされる画像の４フレーム毎に、そして１行単位（４Ｆｒａｍｅ＋１Ｈｏｒｉｚｏｎｔａｌ  ｕｎｉｔ）で反転されることを特徴とする請求項１に記載の階調電圧発生回路。
【請求項６】
前記制御信号は、
前記液晶パネルにディスプレイされる画像の２フレーム毎に、そして２行単位（２Ｆｒａｍｅ＋２Ｈｏｒｉｚｏｎｔａｌ  ｕｎｉｔ）で反転されることを特徴とする請求項１に記載の階調電圧発生回路。
【請求項７】
前記制御信号は、
前記液晶パネルにディスプレイされる画像の４フレーム毎に、そして２行単位（４Ｆｒａｍｅ＋２Ｈｏｒｉｚｏｎｔａｌ  ｕｎｉｔ）で反転されることを特徴とする請求項１に記載の階調電圧発生回路。
【請求項８】
前記制御信号は、
前記液晶パネルにディスプレイされる画像の２フレーム毎に、そして４行単位（２Ｆｒａｍｅ＋４Ｈｏｒｉｚｏｎｔａｌ  ｕｎｉｔ）で反転されることを特徴とする請求項１に記載の階調電圧発生回路。
【請求項９】
前記制御信号は、
前記液晶パネルにディスプレイされる画像の４フレーム毎に、そして４行単位（４Ｆｒａｍｅ＋４Ｈｏｒｉｚｏｎｔａｌ  ｕｎｉｔ）で反転されることを特徴とする請求項１に記載の階調電圧発生回路。
【請求項１０】
前記制御信号は、
前記液晶パネルにディスプレイされる画像の２フレーム単位（２Ｆｒａｍｅ）で反転されることを特徴とする請求項１に記載の階調電圧発生回路。
【請求項１１】
前記制御信号は、
前記液晶パネルにディスプレイされる画像の４フレーム単位（４Ｆｒａｍｅ）で反転されることを特徴とする請求項１に記載の階調電圧発生回路。
【国際調査報告】
2011504246.tif 000013
2011504246.tif 000014